(57)【要約】【課題】表示装置の複数の光源を個別にＰＷＭ制御し、かつバックライトスキャン制御に対応した光源駆動装置の提供を目的とする。【解決手段】光源駆動装置１００は、各光源２Ａ，２Ｂ，２Ｃを個別にＰＷＭ制御する光源駆動部１Ａ，１Ｂ，１Ｃと、各光源２Ａ，２Ｂ，２Ｃの光量を光量検出値Ｌｓ＿ａ，Ｌｓ＿ｂ，Ｌｓ＿ｃとして検出する光量検出部３と、光量検出値Ｌｓ＿ａ，Ｌｓ＿ｂ，Ｌｓ＿ｃと目標光量値との比較に基づき、ＰＷＭ制御におけるＤｕｔｙ比を決定する制御部４１と、を備え、光源２Ａ，２Ｂ，２Ｃがバックライトスキャン制御される場合の目標光量値は、バックライトスキャン制御されない場合の目標光量値を、バックライトスキャンの１周期ｔ０における光源の点灯時間ｔｏｎの割合に基づき補正したものである。【選択図】図１
2015176123.tif 000002
【特許請求の範囲】
【請求項１】
表示装置の複数の光源を駆動する光源駆動装置であって、
各前記光源を個別にＰＷＭ制御する光源駆動部と、
各前記光源の光量を光量検出値として検出する光量検出部と、
前記光量検出値と目標光量値との比較に基づき、前記ＰＷＭ制御におけるＤｕｔｙ比を決定する制御部と、を備え、
前記光源駆動部は、前記光源をバックライトスキャン制御することが可能であり、
前記光源がバックライトスキャン制御される場合の前記目標光量値は、バックライトスキャン制御されない場合の前記目標光量値を、バックライトスキャンの１周期における前記光源の点灯時間の割合に基づき補正したものである、
光源駆動装置。
【請求項２】
前記光源がバックライトスキャン制御されない場合の前記目標光量値は、前記光源がバックライトスキャン制御されない場合に、前記表示装置の表示輝度及び色度が予め定めた値となるときの前記光量検出値に基づき定まる、
請求項１に記載の光源駆動装置。
【請求項３】
前記光源がバックライトスキャン制御される場合、前記光量検出値はバックライトスキャンの１周期における光量の平均値である、
請求項１又は２に記載の光源駆動装置。
【請求項４】
前記光源がバックライトスキャン制御されない場合、前記光量検出値は前記表示装置の垂直同期信号の１周期における光量の平均値である、
請求項１から３のいずれかに記載の光源駆動装置。
【請求項５】
液晶表示素子と、
前記液晶表示素子を照明する光源と
前記光源を駆動する請求項１から４のいずれかに記載の光源駆動装置と、を備える、
液晶表示装置。
【発明の詳細な説明】
【技術分野】
【０００１】
本発明は、複数の光源を個別に駆動制御する光源駆動装置に関し、特に液晶表示装置の光源駆動装置および当該光源駆動装置を備える液晶表示装置に関する。
【背景技術】
【０００２】
液晶表示素子は自ら発光しないため、液晶表示装置は光源として、液晶表示素子の背面に光源を備えている。近年では、擬似白色ＬＥＤ（Light Emitting Diode）が光源として広く採用されている。擬似白色ＬＥＤとは、青色のＬＥＤと、青色光を吸収し黄色となる光を発光する蛍光体とを組み合わせたものであり、白色を発光する。特に、蛍光体にＹＡＧ系の材料を用いた擬似白色ＬＥＤは、温度による特性変化が少なく、かつ、光利用効率が高いため、消費電力を少なく出来るという利点があるため、バックライト用の光源として一般的に用いられている。
【０００３】
しかしながら、白色ＬＥＤは波長帯域幅が広く、色再現範囲が狭いという問題を有する。この問題点の改善策として特許文献１は、白色ＬＥＤより色純度の高い赤色、緑色、青色の単色ＬＥＤを採用したバックライト装置を提案している。また、特許文献２は、単色ＬＥＤよりもさらに色純度の高い赤色、緑色、青色のレーザを用いたバックライト装置を提案している。
【０００４】
このような色域の広い光源素子を採用することにより、液晶表示装置の色再現範囲を広げることが可能である。
【０００５】
しかし、３原色の単色ＬＥＤやレーザで構成される光源は、素子温度が上昇するに従い電気−光変換効率が著しく低下するものがある。たとえば、赤色レーザは光出力の温度による変化がＬＥＤよりも大きい特性をもつ。
【０００６】
また、複数の光源をバックライトに有する場合、各光源を出射させる光出力のレベルの割合をある所定の許容範囲に抑える必要がある。なぜならば、白色は赤色、緑色、青色がある一定の比率で混合した場合(以下、ホワイトバランスという)に成り立つものであり、このバランスが許容範囲を超えると色がついて見えるためである。さらに、光源に使用する素子は個体バラツキを持つ上、温度などの特性も素子により異なるのが一般的である。特に前述のレーザ素子などは、温度特性が異なる素子との組み合わせで使用されることもあり、表示装置としてホワイトバランスを常に保つことが必要である。
【０００７】
このため、例えば特許文献３では、従来のレーザ光源とＬＥＤ光源により構成される液晶表示装置において、内部に各光源を個別に駆動する回路ブロックと、光源の光を検出する光センサーを有し、光センサーで各光源の光出力を光源駆動回路にフィードバックし、各光源の光量を一定に保つことで、適切なホワイトバランスを維持する技術を開示している。
【先行技術文献】
【特許文献】
【０００８】
【特許文献１】特開２００９−２６６３５号公報
【特許文献２】特開２０１０−１０１９１２号公報
【特許文献３】特開２０１２−１６９２７５号公報
【発明の概要】
【発明が解決しようとする課題】
【０００９】
しかし、特許文献３の光源制御方法によれば、光センサーのフィードバックを受けてＰＷＭ制御を行うことで、適切なホワイトバランスが維持される。しかし、液晶表示装置がバックライトスキャンを行う際の対応方法が示されていない。
【００１０】
本発明は、上記の問題に鑑み、複数の光源を個別にＰＷＭ（pulse width modulation）制御し、かつバックライトスキャン制御に対応した光源駆動装置及びこれを備えた液晶表示装置の提供を目的とする。
【課題を解決するための手段】
【００１１】
本発明の光源駆動装置は、表示装置の複数の光源を駆動する光源駆動装置である。本発明の光源駆動装置は、各光源を個別にＰＷＭ制御する光源駆動部と、各光源の光量を光量検出値として検出する光量検出部と、光量検出値と目標値との比較に基づき、ＰＷＭ制御におけるＤｕｔｙ比を決定する信号処理部と、を備える。光源駆動部は、光源をバックライトスキャン制御することが可能であり、光源がバックライトスキャン制御される場合の目標値は、バックライトスキャン制御されない場合の目標値に、バックライトスキャンの１周期における光源の点灯割合を乗算したものである。
【発明の効果】
【００１２】
本発明の光源駆動装置は、表示装置の複数の光源を駆動する光源駆動装置である。本発明の光源駆動装置は、各光源を個別にＰＷＭ制御する光源駆動部と、各光源の光量を光量検出値として検出する光量検出部と、光量検出値と目標値との比較に基づき、ＰＷＭ制御におけるＤｕｔｙ比を決定する信号処理部と、を備える。光源駆動部は、光源をバックライトスキャン制御することが可能であり、光源がバックライトスキャン制御される場合の目標値は、バックライトスキャン制御されない場合の目標値に、バックライトスキャンの１周期における光源の点灯割合を乗算したものである。従って、バックライトスキャン制御の有無に応じて適切にＰＷＭ制御を行って光源のホワイトバランスをとることができる。
【図面の簡単な説明】
【００１３】
【図１】実施の形態１に係る光源駆動装置の構成図である。
【図２】実施の形態１に係る光源駆動装置の光源駆動部の回路図である。
【図３】ホワイトバランスの初期調整動作を示すフローチャートである。
【図４】垂直同期信号及び水平同期信号の波形図である。
【図５】ＰＷＭ制御信号の波形図である。
【図６】ＰＷＭ制御信号におけるＤｕｔｙ比を示す図である。
【図７】信号処理部における光源制御動作のフローチャートである。
【図８】信号処理部における光源制御動作のフローチャートである。
【図９】ＰＷＭ制御信号、垂直同期信号、バックライトスキャン同期信号の波形図である。
【図１０】バックライトスキャン動作時の画面表示例を示す図である。
【発明を実施するための形態】
【００１４】
＜Ａ．実施の形態１＞
＜Ａ−１．構成＞
図１は、本発明の実施の形態１に係る光源駆動装置１００の構成を示すブロック図である。光源駆動装置１００は、例えば液晶表示装置における光源を駆動するものであり、以下、液晶表示装置の光源駆動装置として説明する。光源駆動装置１００は、液晶表示素子の例えば背面に備えられて液晶表示素子を照明する光源２と、光源２を駆動する光源駆動部１と、光源駆動部１に電源を供給する電源５と、光源２の光量を検出する光量検出部３と、光源駆動部１を制御する信号処理部４と、ユーザインタフェース６を備えている。図１では、光源２として３色の異なる光源２Ａ，２Ｂ，２Ｃを用いた場合を説明するが、２色の異なる光源を用いても良い。光源２Ａ，２Ｂ，２Ｃに対応して、光源駆動部１Ａ，１Ｂ，１Ｃが設けられ、電源５Ａ，５Ｂ，５Ｃが設けられている。
【００１５】
光源２はバックライトスキャンを可能とするため４本のノードに分岐され、各ノードに対して個別にＰＷＭ調光が可能である。なお、ノード数は４つに限らない。
【００１６】
光源駆動部１Ａは、信号処理部４からのＰＷＭ制御信号ＤＩＭ＿ＸＡ（Ｘは１から４）に基づき、光源２Ａの各ノードのＯＮ／ＯＦＦ制御を行う。光源駆動部１Ａの出力信号Ｐｏ．Ａｎは、光源２Ａのノードｎに接続された光源に供給され、光を発生させる。光源駆動部１Ｂ，１Ｃの動作も光源駆動部１Ａと同様である。
【００１７】
光源２Ａ，２Ｂ，２Ｃの出力光の光量は、光量検出部３で電気信号に変換されて検出される。光源２Ａの光量検出値をＬｓ＿ａとし、光源２Ｂの光量検出値をＬｓ＿ｂとし、光源２Ｃの光量検出値をＬｓ＿ｃとする。
【００１８】
信号処理部４は、制御部４１、記録部４２、光量演算部４３及びユーザ設定情報取得部４４を備える。光量演算部４３は、光量検出値Ｌｓ＿ａ，Ｌｓ＿ｂ，Ｌｓ＿ｃに対して必要な信号処理（信号増幅、ＤＣレベルの変換等）を行った後、ＡＤ変換処理し、制御部４１に供給する。ユーザ設定情報取得部４４は、ユーザインタフェース６からユーザ設定情報を取得する。ユーザ設定情報には、液晶表示装置の明るさ設定情報や、バックライトスキャン機能のオンオフ情報等がある。ユーザインタフェース６は、リモートコントローラや、液晶表示装置の本体スイッチなどである。
【００１９】
制御部４１は光量検出値Ｌｓ＿ａ，Ｌｓ＿ｂ，Ｌｓ＿ｃを記録部４２に記録するとともに、光量検出値Ｌｓ＿ａ，Ｌｓ＿ｂ，Ｌｓ＿ｃに信号処理を行って光源２に対するＰＷＭ制御信号ＤＩＭ＿ＸＡ，ＤＩＭ＿ＸＢ，ＤＩＭ＿ＸＣ（それぞれＸは１から４）のＤｕｔｙ比を決定する。具体的には後述するが、液晶表示装置の制御状態に応じて、また、ユーザ設定情報取得部４４で取得したユーザ設定情報に基づき、ＰＷＭ制御信号ＤＩＭ＿ＸＡ，ＤＩＭ＿ＸＢ，ＤＩＭ＿ＸＣのＤｕｔｙ比を決定する。このＤｕｔｙ比により、光源２Ａ，２Ｂ，２Ｃの光量が調整され、液晶表示装置のホワイトバランスが調整される。
【００２０】
図２は、光源２Ａと光源駆動部１Ａの回路図である。光源２Ａは、複数の光源アレイ２Ａ１，２Ａ２，２Ａ３，２Ａ４の並列接続で構成される。各光源アレイ２Ａ１，２Ａ２，２Ａ３，２Ａ４は複数のＬＥＤの直列接続で構成される。なお、ここでは図１の説明に合わせて４本の光源アレイとしているが、４本に限定しない。
【００２１】
光源駆動部１Ａは、ドレイン端子が各光源アレイ２Ａ１，２Ａ２，２Ａ３，２Ａ４を構成するＬＥＤのカソードに接続されたＭＯＳＦＥＴ１Ａ１，１Ａ２，１Ａ３，１Ａ４を有している。ＭＯＳＦＥＴ１Ａ１，１Ａ２，１Ａ３，１Ａ４のゲート端子には、ＰＷＭ制御信号ＤＩＭ＿１Ａ，ＤＩＭ＿２Ａ，ＤＩＭ＿３Ａ，ＤＩＭ＿４Ａが入力される。ＰＷＭ制御信号によりＭＯＳＦＥＴ１Ａ１，１Ａ２，１Ａ３，１Ａ４がＯＮ／ＯＦＦされることによって、光源アレイ２Ａ１，２Ａ２，２Ａ３，２Ａ４のＬＥＤの発光時間が制御され、光源２Ａの発光量が制御される。
【００２２】
＜Ａ−２．動作＞
図３は、制御部４１におけるホワイトバランスの初期調整動作を示すフローチャートである。以下、図３に沿ってホワイトバランスの初期調整動作を説明する。
【００２３】
まず、液晶表示装置の設定初期化として、バックライトスキャン機能をＯＦＦ、明るさ設定を１００％（すなわち最大）とする（ステップＳ１）。そして、ＰＷＭ制御信号ＤＩＭ＿ＸＡ，ＤＩＭ＿ＸＢ，ＤＩＭ＿ＸＣを光源駆動部１Ａ，１Ｂ，１Ｃに出力する（ステップＳ２）。ここでＰＷＭ制御信号のＤｕｔｙ比は、初期値として１００％に設定される。光源駆動部１Ａ，１Ｂ，１Ｃは、ＰＷＭ制御信号ＤＩＭ＿ＸＡ，ＤＩＭ＿ＸＢ，ＤＩＭ＿ＸＣに従い光源を点灯させる。そして、光量検出部３で光源２Ａ，２Ｂ，２Ｃの出力光の光量を検出するとともに、輝度計などの計測器（図示せず）により液晶表示装置の輝度及び色度を計測する。そして、当該輝度及び色度が液晶表示装置の表示色仕様（目標値）から許容誤差内か否かを判断する（ステップＳ３）。
【００２４】
許容誤差内でなければ、ＰＷＭ制御信号のＤｕｔｙ比を変更してステップＳ２に戻る。ステップＳ３で輝度及び色度が液晶表示装置の目標値から許容誤差内になるまで、ステップＳ２，３，４を繰り返す。許容誤差内になれば、そのときのＤｕｔｙ比と、光量検出部３における光量検出値Ｌｓ＿Ａ０，Ｌｓ＿Ｂ０，Ｌｓ＿Ｃ０を、目標光量初期値Ｌｓ＿ＡＴ０，Ｌｓ＿ＢＴ０，Ｌｓ＿ＣＴ０として記録部４２で記録する（ステップＳ５）。ここで、光量検出値Ｌｓ＿Ａ０，Ｌｓ＿Ｂ０，Ｌｓ＿Ｃ０は、単位時間当たりに検出した光量を示している。
【００２５】
図４は、垂直同期信号（Ｖ）と水平同期信号（Ｈ）を示している。また、図５は、Ｄｕｔｙ比が小、中、１００％のそれぞれについてＰＷＭ制御信号を示している。Ｄｕｔｙ比は、水平同期信号の１周期のうちのバックライトの点灯時間の割合である。液晶表示装置の映像有効領域（Ｖａｃｔｉｖｅ）におけるＤｕｔｙ比は、初期状態において１００％となる。また、図６は輝度及び色度が目標値から許容誤差内となったときの光量検出値Ｌｓ＿Ａ０，Ｌｓ＿Ｂ０，Ｌｓ＿Ｃ０の一例を示している。
【００２６】
図７，８は、制御部４１における光源制御動作のフローチャートを示している。以下、図７，８に沿って光源制御動作を説明する。図７，８のフローチャートは、液晶表示装置の電源がオンになったときにスタートし、電源がオフになるまで継続する。まず、液晶表示装置のユーザ設定によりバックライトスキャン機能がＯＮに設定されているか否かを判断する（ステップＳ１１）。ここで、バックライトスキャン機能の有無を確認するのは、有無によって目標光量が異なるからである。図９に示すように、ＰＷＭ制御信号ＤＩＭ＿１Ａ，ＤＩＭ＿２Ａ，ＤＩＭ＿３Ａ，ＤＩＭ＿４Ａは、４フレームからなるバックライトスキャンの１周期のうち、１フレームはオフである。そして、図１０に示すように、光源は４フレームのうち１フレームは点灯しない。残りの３フレームの期間にＰＷＭ制御が行われる。そのため、バックライトスキャン機能がＯＦＦの場合、記録部４２に記録された目標光量初期値Ｌｓ＿ＡＴ０，Ｌｓ＿ＢＴ０，Ｌｓ＿ＣＴ０を基準に制御する。しかし、バックライトスキャン機能がＯＮの場合は、目標光量初期値Ｌｓ＿ＡＴ０，Ｌｓ＿ＢＴ０，Ｌｓ＿ＣＴ０をバックライトスキャンの１周期ｔ０における光源の点灯時間ｔｏｎの割合に基づき補正する必要がある。そのため、制御部４１は、バックライトスキャン機能がＯＮに設定されているか否かをユーザ設定情報から判断する。
【００２７】
バックライトスキャン機能がＯＮであれば、光量検出部３における光量検出期間を、バックライトスキャンの周期ｔ０に設定する（ステップＳ１２）。すなわち、光量検出部３に対し、検出した光量をバックライトスキャン周期Ｔ０の間積算し、その平均を光量検出値Ｌｓ＿ａ，Ｌｓ＿ｂ，Ｌｓ＿ｃとするよう指示する。
【００２８】
次に、目標光量初期値Ｌｓ＿ＡＴ０，Ｌｓ＿ＢＴ０，Ｌｓ＿ＣＴ０にバックライトスキャン周期Ｔ０のうちバックライトがＯＮとなる時間の割合を積算し、目標光量補正値Ｌｓ＿Ａ１、Ｌｓ＿Ｂ１，Ｌｓ＿Ｃ１を導出する（ステップＳ１３）。すなわち、目標光量補正値Ｌｓ＿ＡＴ１，Ｌｓ＿ＢＴ１，Ｌｓ＿ＣＴ１は次の式により算出される。
【００２９】
【数１】
2015176123.tif 000003
【００３０】
【数２】
2015176123.tif 000004
【００３１】
【数３】
2015176123.tif 000005
【００３２】
ここで、Ｔｏｎは、バックライトスキャン周期Ｔ０のうちバックライトがＯＮとなる時間を示し、Ｔｏｆｆは、バックライトスキャン周期Ｔ０のうちバックライトがＯＦＦとなる時間を示している。また、Ｋｏｆｆは暗光量の補正係数である。暗光量とは、光源をＯＦＦに制御している際に検知される光量のことであり、光量検出部３で使用する光量センサーの特性や、光源の応答速度、光源駆動部の時間遅延により発生する。
【００３３】
次に、制御部４１は、液晶表示装置本体の明るさ（調光）設定値Ｂｒｔをユーザ設定情報から取得し、目標光量補正値Ｌｓ＿ＡＴ１，Ｌｓ＿ＢＴ１，Ｌｓ＿ＣＴ１に明るさ設定値Ｂｒｔを積算し、目標光量値Ｌｓ＿ＡＴ２，Ｌｓ＿ＢＴ２，Ｌｓ＿ＣＴ２を求める（ステップＳ１４）。すなわち、目標光量値Ｌｓ＿ＡＴ２，Ｌｓ＿ＢＴ２，Ｌｓ＿ＣＴ２は、以下の式で求められる。
【００３４】
Ｌｓ＿ＡＴ２＝Ｌｓ＿ＡＴ１×Ｂｒｔ
Ｌｓ＿ＢＴ２＝Ｌｓ＿ＢＴ１×Ｂｒｔ
Ｌｓ＿ＣＴ２＝Ｌｓ＿ＣＴ１×Ｂｒｔ
【００３５】
次に、記録部４２に記録していたＤｕｔｙ比ＤＩＭ＿Ａ０，ＤＩＭ＿Ｂ０，ＤＩＭ＿Ｃ０のＰＷＭ制御信号ＤＩＭ＿ＸＡ，ＤＩＭ＿ＸＢ，ＤＩＭ＿ＸＣ（それぞれＸは１から４）を光源駆動部１Ａ，１Ｂ，１Ｃに供給する（ステップＳ１５）。光源駆動部１Ａ，１Ｂ，１Ｃは、ＰＷＭ制御信号ＤＩＭ＿ＸＡ，ＤＩＭ＿ＸＢ，ＤＩＭ＿ＸＣに従い光源２Ａ，２Ｂ，２Ｃを点灯させる。そして、光量検出部３で光源２Ａ，２Ｂ，２Ｃの出力光の光量を検出し、光量検出値Ｌｓ＿ａ，Ｌｓ＿ｂ，Ｌｓ＿ｃを記録部４２に記録する。ここでの光量検出値Ｌｓ＿ａ，Ｌｓ＿ｂ，Ｌｓ＿ｃは、ステップＳ１２での設定に従い、バックライトスキャン周期ｔ０の間に検出した光量を積算し、単位時間当たりの平均をとったものである。
【００３６】
次に、光量検出値Ｌｓ＿ａ，Ｌｓ＿ｂ，Ｌｓ＿ｃが目標光量値Ｌｓ＿ＡＴ２，Ｌｓ＿ＢＴ２，Ｌｓ＿ＣＴ２に対して許容誤差内にあるか否かを判断する(ステップＳ１６)。許容誤差内になければ、許容誤差内になるまでＰＷＭ制御信号ＤＩＭ＿ＸＡ，ＤＩＭ＿ＸＢ，ＤＩＭ＿ＸＣのＤｕｔｙ比ＤＩＭ＿Ａ０，ＤＩＭ＿Ｂ０，ＤＩＭ＿Ｃ０を調整する（ステップＳ１７）。
【００３７】
ステップＳ１７では、光源２Ａを例にすると具体的には次のような調整を行う。
【００３８】
（ＬＳ＿ＡＴ２）−α≧（Ｌｓ＿ａ）  ：ＤＩＭ＿ＡのＤｕｔｙ比を上げる
（ＬＳ＿ＡＴ２）−α＜（Ｌｓ＿ａ）＜（ＬＳ＿ＡＴ２）＋α  ：ＤＩＭ＿ＡのＤｕｔｙ比を維持する
（ＬＳ＿ＡＴ２）＋α＜（Ｌｓ＿ａ）  ：ＤＩＭ＿ＡのＤｕｔｙ比を下げる
なお、αは許容誤差を示している。
【００３９】
こうして変更したＤｕｔｙ比のＰＷＭ制御信号ＤＩＭ＿ＸＡ，ＤＩＭ＿ＸＢ，ＤＩＭ＿ＸＣを、光源駆動部１Ａ，１Ｂ，１Ｃに供給する（ステップＳ１５）。そして、再び光量検出値Ｌｓ＿ａ，Ｌｓ＿ｂ，Ｌｓ＿ｃが目標光量値Ｌｓ＿ＡＴ２，Ｌｓ＿ＢＴ２，Ｌｓ＿ＣＴ２に対して許容誤差内にあるか否かを判断する（ステップＳ１６）。光量検出値Ｌｓ＿ａ，Ｌｓ＿ｂ，Ｌｓ＿ｃが目標光量値Ｌｓ＿ＡＴ２，Ｌｓ＿ＢＴ２，Ｌｓ＿ＣＴ２に対して許容誤差内になるまでステップＳ１５，１６，１７を繰り返す。このフィードバック制御はバックライトスキャンの２周期毎に行われ、ホワイトバランスが一定に保たれる。
【００４０】
光量検出値Ｌｓ＿ａ，Ｌｓ＿ｂ，Ｌｓ＿ｃが目標光量値Ｌｓ＿ＡＴ２，Ｌｓ＿ＢＴ２，Ｌｓ＿ＣＴ２に対して許容誤差内にあれば、ステップＳ１８に移り、バックライトスキャン機能がＯＮか否かを判断する。バックライトスキャン機能がＯＮでなければ、後述する図８のステップＳ２１に移る。バックライトスキャン機能がＯＮであれば、バックライトの明るさ設定値Ｂｒｔに変更があるか否かを判断する（ステップＳ１９）。バックライトの明るさ設定値Ｂｒｔに変更がなければステップＳ１６に戻る。変更があれば、ステップＳ１４に戻って当該変更後の明るさ設定値Ｂｒｔに基づき目標光量値を変更する。
【００４１】
なお、上述のフィードバック制御において、光検出精度の誤差や光源出力の僅かな変動は避けられない。しかし、本発明では、光量検出部３において、バックライトスキャン周期ｔ０の間に検出した光量を積算し、単位時間当たりの平均をとって光量検出値としているため、多少の誤差や予期しない変動は吸収される。そのため、目標光量値から一定レベルの非制御領域（ヒステリシス）を設ける必要はない。とはいえ、輝度や色度の変化タイミングが液晶表示装置として早すぎる場合には、ヒステリシスを付与して制御を行なうことも可能である。
【００４２】
ヒステリシスを含む制御を行う場合、光源２Ａを例にするとステップＳ１７では次のような調整を行う。
【００４３】
（Ｌｓ＿ＡＴ２）−α≧（Ｌｓ＿ａ）  ：ＤＩＭ＿ＡのＤｕｔｙ比を上げる
（Ｌｓ＿ＡＴ２）−α＜（Ｌｓ＿ａ）＜（Ｌｓ＿ＡＴ２）＋α＋（Ｌｓ＿Ｈ）  ：ＤＩＭ＿ＡのＤｕｔｙ比を維持する
（Ｌｓ＿ＡＴ２）＋（Ｌｓ＿Ｈ）≦（Ｌｓ＿ａ）  ：ＤＩＭ＿ＡのＤｕｔｙ比を下げる
【００４４】
なお、Ｌｓ＿Ｈはヒステリシスレベルを示している。
【００４５】
図８は、図７のフローチャートのステップＳ１１又はステップＳ１８でＮｏと判断したときの制御部４１の動作を示すフローチャートである。すなわち、バックライトスキャン機能がＯＦＦであるときの動作を示している。
【００４６】
バックライトスキャン機能がＯＦＦである場合、光量検出部３における光量検出期間を、垂直同期信号の周期ＴＶに設定する（ステップＳ２１）。すなわち、光量検出部３に対し、検出した光量を垂直同期信号の周期ＴＶの間積算し、その平均を光量検出値Ｌｓ＿ａ，Ｌｓ＿ｂ，Ｌｓ＿ｃとするよう指示する。
【００４７】
次に、記録部４２に記録された目標光量初期値Ｌｓ＿ＡＴ０，Ｌｓ＿ＢＴ０，Ｌｓ＿ＣＴ０をバックライトの明るさ設定値Ｂｒｔで補正し、目標光量値Ｌｓ＿ＡＴ２，Ｌｓ＿ＢＴ２，Ｌｓ＿ＣＴ２とする（ステップＳ２２）。すなわち、目標光量値Ｌｓ＿ＡＴ２，Ｌｓ＿ＢＴ２，Ｌｓ＿ＣＴ２は、以下の式で求められる。
【００４８】
Ｌｓ＿ＡＴ２＝Ｌｓ＿ＡＴ０×Ｂｒｔ
Ｌｓ＿ＢＴ２＝Ｌｓ＿ＢＴ０×Ｂｒｔ
Ｌｓ＿ＣＴ２＝Ｌｓ＿ＣＴ０×Ｂｒｔ
【００４９】
次に、記録部４２に記録していたＤｕｔｙ比ＤＩＭ＿Ａ０，ＤＩＭ＿Ｂ０，ＤＩＭ＿Ｃ０のＰＷＭ制御信号ＤＩＭ＿ＸＡ，ＤＩＭ＿ＸＢ，ＤＩＭ＿ＸＣを光源駆動部１Ａ，１Ｂ，１Ｃに供給する（ステップＳ２３）。光源駆動部１Ａ，１Ｂ，１Ｃは、ＰＷＭ制御信号ＤＩＭ＿ＸＡ，ＤＩＭ＿ＸＢ，ＤＩＭ＿ＸＣに従い光源２Ａ，２Ｂ，２Ｃを点灯させる。そして、光量検出部３で光源２Ａ，２Ｂ，２Ｃの出力光の光量を検出し、光量検出値Ｌｓ＿ａ，Ｌｓ＿ｂ，Ｌｓ＿ｃを記録部４２に記録する。ここでの光量検出値Ｌｓ＿ａ，Ｌｓ＿ｂ，Ｌｓ＿ｃは、ステップＳ２１での設定に従い、垂直同期信号の周期ＴＶの間に検出した光量を積算し、単位時間当たりの平均をとったものである。
【００５０】
次に、光量検出値Ｌｓ＿ａ，Ｌｓ＿ｂ，Ｌｓ＿ｃが目標光量値Ｌｓ＿ＡＴ２，Ｌｓ＿ＢＴ２，Ｌｓ＿ＣＴ２から許容誤差内か否かを判断し（ステップＳ２４）、許容誤差内でなければ、ＰＷＭ制御信号のＤｕｔｙ比を変更して（ステップＳ２５）ステップＳ２３に戻り、許容誤差内となるまでステップＳ２３，２４，２５を繰り返す。ステップＳ２３，２４，２５におけるフィードバック制御は、図７のステップＳ１５，１６，１７におけるフィードバック制御と同様であるため、説明は省略する。
【００５１】
光量検出値Ｌｓ＿ａ，Ｌｓ＿ｂ，Ｌｓ＿ｃが目標光量値Ｌｓ＿ＡＴ２，Ｌｓ＿ＢＴ２，Ｌｓ＿ＣＴ２から許容誤差内になると（ステップＳ２４でＹｅｓ）、ステップＳ２６に移り、バックライトスキャン機能がＯＦＦのままか否かを判断する。バックライトスキャン機能がＯＦＦでなければ、図７のステップＳ１２に移る。バックライトスキャン機能がＯＦＦであれば、バックライトの明るさ設定値Ｂｒｔに変更があるか否かを判断する（ステップＳ２７）。バックライトの明るさ設定値Ｂｒｔに変更がなければステップＳ２４に戻る。変更があれば、ステップＳ２２に戻って当該変更後の明るさ設定値Ｂｒｔに基づき目標光量値を変更する。
【００５２】
＜Ａ−３．効果＞
実施の形態１に係る光源駆動装置１００は、液晶表示装置の複数の光源２Ａ，２Ｂ，２Ｃを駆動する光源駆動装置である。そして、光源駆動装置１００は、各光源２Ａ，２Ｂ，２Ｃを個別にＰＷＭ制御する光源駆動部１Ａ，１Ｂ，１Ｃと、各光源２Ａ，２Ｂ，２Ｃの光量を光量検出値Ｌｓ＿ａ，Ｌｓ＿ｂ，Ｌｓ＿ｃとして検出する光量検出部３と、光量検出値Ｌｓ＿ａ，Ｌｓ＿ｂ，Ｌｓ＿ｃと目標光量値Ｌｓ＿ＡＴ２，Ｌｓ＿ＢＴ２，Ｌｓ＿ＣＴ２との比較に基づき、ＰＷＭ制御におけるＤｕｔｙ比を決定する信号処理部４と、を備える。そして、光源２Ａ，２Ｂ，２Ｃがバックライトスキャン制御される場合の目標光量値(目標値)は、バックライトスキャン制御されない場合の目標光量値を、バックライトスキャンの１周期Ｔ０における光源の点灯時間Ｔｏｎの割合Ｔｏｎ／Ｔ０に基づき補正したものである。従って、バックライトスキャン制御の有無に応じて適切にＰＷＭ制御を行って光源のホワイトバランスをとることができる。
【００５３】
また、光源２Ａ，２Ｂ，２Ｃがバックライトスキャン制御されない場合の目標光量値Ｌｓ＿ＡＴ２，Ｌｓ＿ＢＴ２，Ｌｓ＿ＣＴ２は、光源２Ａ，２Ｂ，２Ｃがバックライトスキャン制御されない場合に、表示装置の表示輝度及び色度が予め定めた値となるときの光量検出値Ｌｓ＿Ａ０，Ｌｓ＿Ｂ０，Ｌｓ＿Ｃ０に基づき定まる。従って、当該目標光量値Ｌｓ＿ＡＴ２，Ｌｓ＿ＢＴ２，Ｌｓ＿ＣＴ２に光量検出値Ｌｓ＿ａ，Ｌｓ＿ｂ，Ｌｓ＿ｃが近づくよう調整することにより、適切な表示輝度及び色度を実現する。
【００５４】
また、光源２Ａ，２Ｂ，２Ｃがバックライトスキャン制御される場合、光量検出値Ｌｓ＿ａ，Ｌｓ＿ｂ，Ｌｓ＿ｃはバックライトスキャンの１周期ｔ０における光量の平均値である。従って、光量検出部３における検出誤差や、光源２Ａ，２Ｂ，２Ｃの出力の僅かな変動等による誤差を抑制することが出来る。
【００５５】
光源２Ａ，２Ｂ，２Ｃがバックライトスキャン制御されない場合、光量検出値Ｌｓ＿ａ，Ｌｓ＿ｂ，Ｌｓ＿ｃは表示装置の垂直同期信号Ｖの１周期ＴＶにおける光量の平均値である。従って、光量検出部３における検出誤差や、光源２Ａ，２Ｂ，２Ｃの出力の僅かな変動等による誤差を抑制することが出来る。
【００５６】
本発明の液晶表示装置は、液晶表示素子と、光源駆動装置１００と、光源駆動装置１００により駆動される光源２と、を備える。バックライトスキャン制御の有無に応じて適切にＰＷＭ制御を行って光源のホワイトバランスをとることができるので、高画質な液晶表示装置となる。
【００５７】
なお、本発明は、その発明の範囲内において、実施の形態を適宜、変形、省略することが可能である。
【符号の説明】
【００５８】
１  光源駆動部、１Ａ，１Ｂ，１Ｃ  光源駆動部、１Ａ１，１Ａ２，１Ａ３，１Ａ４  ＭＯＳＦＥＴ、２，２Ａ，２Ｂ，２Ｃ  光源、２Ａ１，２Ａ２，２Ａ３，２Ａ４  光源アレイ、３  光量検出部、４  信号処理部、４１  制御部、４２  記録部、４３  光量演算部、４４  ユーザ設定情報取得部、５，５Ａ，５Ｂ，５Ｃ  電源、６  ユーザインタフェース、１００  光源駆動装置。
【図１】
2015176123.tif 000006
【図２】
2015176123.tif 000007
【図３】
2015176123.tif 000008
【図４】
2015176123.tif 000009
【図５】
2015176123.tif 000010
【図６】
2015176123.tif 000011
【図７】
2015176123.tif 000012
【図８】
2015176123.tif 000013
【図９】
2015176123.tif 000014
【図１０】
2015176123.tif 000015